【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
光を受けて発電を行う太陽電池からの電力を充電制御回路により電力保持手段に充電制御する充電制御装置において、該太陽電池の発電量をより効率よく充電するべく、
該太陽電池から基準電位への出力電流を監視し、その出力電流が基準電流値に達したことを判定して該充電制御回路を起動する起動判定手段を有する充電制御装置。
【請求項２】
請求項１に記載の充電制御装置において、
前記起動判定手段は、前記太陽電池からの出力電流をモニタする電流モニタ部と、この電流モニタ部を基準電位側にオン／オフする第１スイッチ手段と、該太陽電池からの出力流を該電流モニタ部から該第１スイッチ手段を通して該基準電位側に流し、その出力電流をモニタ電流値として監視し、該モニタ電流値が基準電流値に達したことを判定して、該第１スイッチ手段をオフすると共に、該太陽電池から前記充電制御回路への出力電流をオン／オフする第２スイッチ手段をオフからオンにするスイッチ制御信号を出力する第２判定手段と、該モニタ電流が所定電流に達した時点から所定時間遅延した遅延信号を起動制御信号として該充電制御回路に出力して該充電制御回路を起動制御するディレイ回路を有する充電制御装置。
【請求項３】
請求項２に記載の充電制御装置において、
前記モニタ電流が基準電流値に達した時点からの所定遅延時間は、前記太陽電池の表面温度上昇による電力変動の安定移行時間とする充電制御装置。
【請求項４】
請求項３に記載の充電制御装置において、
前記太陽電池の表面温度上昇による電力変動の安定移行時間は、前記モニタ電流の変動時間である充電制御装置。
【請求項５】
請求項１に記載の充電制御装置において、
前記基準電流値は、前記充電制御回路が駆動可能とする消費電流以上の電流である充電制御装置。
【請求項６】
請求項１に記載の充電制御装置において、
前記起動判定手段は、前記太陽電池からの出力電流をモニタする電流モニタ部と、この電流モニタ部を基準電位側にオン／オフする第１スイッチ手段と、該太陽電池からの出力流を該電流モニタ部から該第１スイッチ手段を通して該基準電位側に流し、その出力電流をモニタ電流として監視し、該モニタ電流が基準電流値に達したことを判定して、該第１スイッチ手段をオフすると共に、該太陽電池から前記充電制御回路への出力電流をオン／オフする第２スイッチ手段をオフからオンにするスイッチ制御信号を出力しかつ、該充電制御回路を起動制御する第１判定手段とを有する充電制御装置。
【請求項７】
請求項２に記載の充電制御装置において、
前記モニタ電流が基準電流値に達した時点からの所定遅延時間は、前記モニタ電流が前記所定電流値に比べて、発電量の初期判定の状態で想定される温度上昇による発電量の低下が生じたとしても、前記充電制御回路の駆動電力を賄える場合に、０に設定される充電制御装置。
【請求項８】
請求項２に記載の充電制御装置において、
前記モニタ電流が基準電流値に達した時点からの所定遅延時間は、発電量の初期判定の状態で想定される温度上昇による発電量の低下が生じて、前記充電制御回路の駆動電力を賄えない場合に、前記太陽電池自体の製品構造から決定される固定値である充電制御装置。
【請求項９】
光を受けて発電を行う太陽電池からの電力を充電制御回路により電力保持手段に充電制御する充電制御装置において、該太陽電池の発電量をより効率よく充電するべく、
該太陽電池が光を受けて発電する際に発生する該太陽電池自体の温度値または温度上昇値を検出する太陽電池温度情報検出手段と、
その検出した温度値、温度上昇値またはこれから算出される太陽電池発電電力量が、基準温度値、基準温度上昇値または基準発電電力量に達したことを判定して該充電制御回路を起動する起動判定手段とを有する充電制御装置。
【請求項１０】
請求項９に記載の充電制御装置において、
前記基準温度値、前記基準温度上昇値または前記基準発電電力量は、前記充電制御回路が駆動可能とする消費電力量以上に前記太陽電池から出力電力値が得られる該太陽電池の温度値、温度上昇値または発電電力量である充電制御装置。
【請求項１１】
請求項９に記載の充電制御装置において、
前記起動判定手段は、前記太陽電池温度情報検出手段により検出した温度値、温度上昇値またはこれから算出される太陽電池発電電力量が基準温度値、基準温度上昇値または基準発電電力量に達したことを判定して前記充電制御回路を起動する第３判定手段とを有する充電制御装置。
【請求項１２】
請求項１１に記載の充電制御装置において、
前記起動判定手段は、周囲温度情報を検出する周囲温度情報検出手段を更に有し、前記第３判定手段は、該周囲温度情報検出手段の周囲温度情報から判定基準値を調整し、その検出した温度値または温度上昇値、またはこれから算出される太陽電池発電電力量が、調整した判定基準値に達したことを判定して前記充電制御回路の充電制御を開始する充電制御装置。
【請求項１３】
光を受けて発電を行う太陽電池からの電力を充電制御回路により電力保持手段に充電制御する充電制御装置において、該太陽電池の発電量をより効率よく充電するべく、
光を受けて発電を行う太陽電池と放熱素子の間に設けられた温度差発電素子と、該温度差発電素子からの熱電力を電源供給可能とする電源制御回路と、該電源制御回路または該温度差発電素子から供給された電力値が基準電力値に達したことを判定して前記充電制御回路を起動する起動判定手段とを有する充電制御装置。
【請求項１４】
請求項１３に記載の充電制御装置において、
前記起動判定手段は、前記太陽電池が光を受けて発電する際に発生する該太陽電池自体の発熱を変換した熱電力または、該熱電力が前記電源制御回路を介した電力が基準電力値に達して安定化するまで待機し、該熱電力または該電源制御回路からの電力が基準電力値に達したことを判定して、該太陽電池および該電源制御回路から前記充電制御回路への出力電力をオン／オフする第２スイッチ手段および第３スイッチ手段をそれぞれオフからオンするスイッチ制御信号を出力すると共に、該充電制御回路を起動する第４判定手段を有する充電制御装置。
【請求項１５】
請求項１、９および１３のいずれかに記載の充電制御装置において、
前記太陽電池が複数枚設けられ、該複数枚の太陽電池のそれぞれと前記充電制御回路との間に各スイッチ手段がそれぞれ設けられており、
前記起動判定手段は、該複数枚の太陽電池のそれぞれの発電駆動の有無を検出し、発電駆動していないと判定された太陽電池と該充電制御回路との間のスイッチ手段を遮断制御する充電制御装置。
【請求項１６】
光を受けて発電を行う太陽電池からの電力を充電制御回路により電力保持手段に充電制御する充電制御装置において、該太陽電池の発電量をより効率よく充電するべく、
該太陽電池が複数枚設けられ、該複数の太陽電池からの各出力電流を該太陽電池毎に基準電流値に達したかどうかの判定を行い、該基準電流値に達したことを判定して、当該基準電流値に達した太陽電池の出力端のみを前記充電制御回路に接続して該充電制御回路を起動するように制御する起動判定手段を有する充電制御装置。
【請求項１７】
請求項１５または１６に記載の充電制御装置において、
前記充電制御回路は、前記起動判定手段による充電制御が開始されると起動状態が保持される充電制御装置。
【請求項１８】
請求項１６に記載の充電制御装置において、
前記複数枚の太陽電池のそれぞれと前記充電制御回路との間に各スイッチ手段がそれぞれ設けられており、前記起動判定手段は、該複数枚の太陽電池のそれぞれの発電駆動の有無を検出し、前記基準電流値に達せずに発電駆動していないと判定された太陽電池と該充電制御回路との間のスイッチ手段を遮断制御する充電制御装置。
【請求項１９】
請求項１５または１８に記載の充電制御装置において、
前記発電駆動していない太陽電池に対する充電制御停止条件を、前記太陽電池からの出力電流を監視して当該出力電流が所定期間の間に基準電流値に達しない時点とする充電制御装置。
【請求項２０】
請求項１５または１８に記載の充電制御装置において、
前記充電制御回路の充電制御が開始された後の充電制御停止条件を、該充電制御回路から太陽電池側への逆流電流が検出された時点とする充電制御装置。
【請求項２１】
請求項１６に記載の充電制御装置において、
前記複数の太陽電池に対する複数の起動判定のうちの少なくとも一つの起動判定が検出されたときに前記充電制御回路を起動する充電制御装置。
【請求項２２】
請求項１６に記載の充電制御装置において、
前記複数の太陽電池からの出力電流の総和が充電制御可能電流と設定されている起動判定規定値としての基準電流値に達したことを判定して前記充電制御回路を起動する充電制御装置。
【請求項２３】
請求項２２に記載の充電制御装置において、
前記複数の太陽電池の各出力電流間の各差分を比較し、該各差分が所定値に達した場合に、該発電量の低い太陽電池は前記充電制御回路との接続を遮断し、かつ前記基準電流値と比較する出力電流の総和から、当該発電量の低い太陽電池の発電量を除くように制御する充電制御装置。
【請求項２４】
光を受けて発電を行う太陽電池からの電力を充電制御回路により電力保持手段に充電制御する充電制御装置において、該太陽電池の発電量をより効率よく充電するべく、
該太陽電池の出力端と基準電位間に設けられた出力電流のモニタ回路と、該モニタ回路で検出された出力電流が基準電流値に達したことを判定して、該太陽電池の出力端と該充電制御回路を連結しかつ該モニタ回路のインピーダンスを増加させると共に、該充電制御回路を起動させる第５判定手段とを有する充電制御装置。
【請求項２５】
請求項２４に記載の充電制御装置において、
前記第５判定手段は、前記充電制御回路の負荷が軽くなることによって前記太陽電池の出力電圧が該充電制御回路の入力レンジ以上の電圧まで上昇する場合は前記モニタ回路のインピーダンスを低下させて該太陽電池の出力電圧を抑制する充電制御装置。
【請求項２６】
光を受けて発電を行う太陽電池からの電力を充電制御回路により電力保持手段に充電制御する充電制御装置において、該太陽電池の発電量をより効率よく充電するべく、
該太陽電池の出力端子と低電位端子間に接続される第１のスイッチＳＷ１と、該太陽電池の出力端子と該太陽電池からの電力を取り出す該充電制御回路との間に接続された第２のスイッチＳＷ２と、該第２のスイッチＳＷ２に流れる電流量が設定されている起動判定設定値に等しいかまたはそれ以上になったときに該充電制御回路の起動制御を行う起動判定手段と、該充電制御回路の出力端と第１の電力保持デバイスの間に接続されている第３のスイッチＳＷ３と、該充電制御回路の入力端子と該第１の電力保持デバイスの間に接続されている第４のスイッチＳＷ４と、該充電制御回路の出力端子と第２の電力保持デバイスの間に接続されている第２電力保持デバイス用の充電器と、該第２電力保持デバイス用の充電器の出力端子と該充電制御回路の入力端子間に接続されている第５のスイッチＳＷ５とを有する充電制御装置であって、
該起動判定手段は、該太陽電池からの第１の電力保持デバイスに電力充電を行う場合には、該第２のスイッチＳＷ２および該第３のスイッチＳＷ３を短絡し、残りのスイッチＳＷ４〜ＳＷ６の開放を行い、また、該第２の電力保持デバイスに充電を行う場合は、該充電器を起動し、該第１の電力保持デバイスとの並列充電するかまたは、該第２の電力保持デバイスのみへの充電の場合は、該第３のスイッチＳＷ３を開放して充電を行い、さらに、該太陽電池の電力が不十分と判断された場合には、該第２のスイッチＳＷ２を短絡、該充電制御回路を停止し、残りのスイッチを開放後、該第１の電力保持デバイスから第２の電力保持デバイスへの充電を行うように制御する充電制御装置。
【請求項２７】
請求項２６に記載の充電制御装置において、
前記起動判定手段は、前記第２の電力保持デバイスにメモリ効果が発生し、電力保持能力が低下した場合は、前記充電器を停止させ、第５のスイッチＳＷ５、第４のスイッチＳＷ４を短絡、残りのスイッチを開放し、該第２の電力保持デバイスに蓄えられている電力を、前記第１の電力保持デバイスに回生して深放電を行わせてメモリ効果解消と電力回生を行うように制御する充電制御装置。